(57)【特許請求の範囲】
【請求項１】
軸線を上下方向に向けたバッテリーポストに対し位置決めされた状態で嵌合されるロア部材と、
前記ロア部材の上方に配されたアッパ部材と、
前記ロア部材と前記アッパ部材のうち前記アッパ部材のみに形成され、前記バッテリーポストの外周に密着するように変形可能な一対の締付片と、
前記一対の締付片を前記バッテリーポストに密着させるように変形させる締結手段とを備え、
前記アッパ部材は、
外部導体が接続される接続用ボルトの基部を収容する導体接続部と、
前記導体接続部と前記締付片の基端部とを連結する連結部を有しており、
前記連結部に、前記ロア部材が移動規制状態に結合されているバッテリー端子。
【請求項２】
前記アッパ部材は、外部導体を接続するための導体接続部と、前記導体接続部と前記締付片の基端部とを連結する連結部とを有しており、
前記連結部に、前記ロア部材が移動規制状態に結合されている請求項１に記載のバッテリー端子。
【請求項３】
前記ロア部材には、前記一対の締付片を、前記バッテリーポストへの密着方向の変形を許容し、且つ上下方向への相対変位を規制した状態で支持する支持部が形成されている請求項１又は請求項２に記載のバッテリー端子。
【請求項４】
前記支持部を構成する支持板部には、前記締結手段を回転規制状態に嵌合させる回り止め部が形成されている請求項３に記載のバッテリー端子。
【請求項５】
前記締付片のうち前記バッテリーポストの外周に接触する領域には、上方又は下方へ延出した形態の周壁部が形成されている請求項１から請求項４のいずれか１項に記載のバッテリー端子。
【発明の詳細な説明】
【技術分野】
【０００１】
本発明は、バッテリー端子に関するものである。
【背景技術】
【０００２】
特許文献１には、ターミナル本体と、ブラケットと、ボルト・ナットとを備えたバッテリー端子が開示されている。ターミナル本体は、バッテリーポストを挟み付けることが可能な一対の締付片を有している。一対の締付片の外側縁には、ブラケットに形成した一対の傾斜面が当接しており、ボルトとナットの締付けによってブラケットを変位させると、一対の締付片が、ブラケットの傾斜面により接近させられてバッテリーポストの外周面に密着する。
【先行技術文献】
【特許文献】
【０００３】
【特許文献１】特開２００２−１８４３８９号公報
【発明の概要】
【発明が解決しようとする課題】
【０００４】
上記のバッテリー端子は、ボルトとナットを締め付ける際に、下側部の締付片と上側部の締付片の両方を接近させるようになっている。そのため、ボルトとナットを締め付ける際に大きな操作力が必要となり、バッテリーポストに接続する際の作業性が良くないという問題があった。
【０００５】
本発明は上記のような事情に基づいて完成されたものであって、バッテリーポストに接続する際の作業性向上を図ることを目的とする。
【課題を解決するための手段】
【０００６】
本発明のバッテリー端子は、
軸線を上下方向に向けたバッテリーポストに対し位置決めされた状態で嵌合されるロア部材と、
前記ロア部材の上方に配されたアッパ部材と、
前記ロア部材と前記アッパ部材のうち前記アッパ部材のみに形成され、前記バッテリーポストの外周に密着するように変形可能な一対の締付片と、
前記一対の締付片を前記バッテリーポストに密着させるように変形させる締結手段とを備えているところに特徴を有する。
【発明の効果】
【０００７】
この構成によれば、バッテリーポストの外周に密着するように変形する締付片は、ロア部材とアッパ部材のうちアッパ部材のみに形成されているので、ロア部材とアッパ部材の両方に形成された締付片を変形させる場合に比べると、変形させるために要する操作力が小さくて済む。したがって、バッテリーポストに接続する際の作業性に優れている。
【図面の簡単な説明】
【０００８】
【図１】実施例１のバッテリー端子の分解斜視図
【図２】端子本体の組付け状態の斜視図
【図３】バッテリー端子の組付け状態の斜視図
【図４】締付片を締め付け方向に変形させる前の状態をあらわす正面図
【図５】締付片を締め付け方向に変形させた状態をあらわす正面図
【図６】端子本体の平面図
【図７】バッテリー端子をバッテリーポストに接続した状態をあらわす平面図
【図８】図７のＸ−Ｘ線断面図
【図９】締付片を締め付け方向に変形させる前の状態をあらわす底面図
【図１０】締付片を締め付け方向に変形させた状態をあらわす底面図
【図１１】端子本体の側面図
【図１２】図１１のＹ−Ｙ線断面図
【図１３】図１１のＺ−Ｚ線断面図
【図１４】ロア部材の側面図
【図１５】ロア部材の底面図
【図１６】実施例２のバッテリー端子におけるカム部材と傾き規制部を簡略化してあらわした正面図
【図１７】実施例３のバッテリー端子におけるカム部材と傾き規制部を簡略化してあらわした正面図
【図１８】実施例４のバッテリー端子におけるカム部材と傾き規制部を簡略化してあらわした正面図
【発明を実施するための形態】
【０００９】
本発明のバッテリー端子は、前記アッパ部材は、外部導体を接続するための導体接続部と、前記導体接続部と前記締付片の基端部とを連結する連結部とを有しており、前記連結部に、前記ロア部材が移動規制状態に結合されていてもよい。この構成によれば、バッテリーポストに対して締付片を位置決めすることができるので、バッテリーポストに対する締付片の密着状態が周方向において不均一になり難い。また、締付片の変形動作に支障を来すことなく、ロア部材とアッパ部材とを結合することができる。
【００１０】
本発明のバッテリー端子は、前記ロア部材には、前記一対の締付片を、前記バッテリーポストへの密着方向の変形を許容し、且つ上下方向への相対変位を規制した状態で支持する支持部が形成されていてもよい。この構成によれば、一対の締付片を一定の高さで安定して変形させることができるので、バッテリーポストへの接続作業を確実に行うことができる。
【００１１】
本発明のバッテリー端子は、前記支持部を構成する支持板部には、前記締結手段を回転規制状態に嵌合させる回り止め部が形成されていてもよい。この構成によれば、支持板部が回り止め部の形成母体を兼ねているので、支持板部とは別の専用部位に回り止め部を形成する場合に比べて、ロア部材の形状を簡素化することができる。
【００１２】
本発明のバッテリー端子は、前記締付片のうち前記バッテリーポストの外周に接触する領域には、上方又は下方へ延出した形態の周壁部が形成されていてもよい。この構成によれば、締付片がバッテリーポストの外周に食い込み難くなるので、バッテリーポストに対する締付片の締付け状態が周方向において安定する。
【００１３】
＜実施例１＞
以下、本発明を具体化した実施例１を図１〜図１５を参照して説明する。本実施例１のバッテリー端子Ａは、図７，８に示すように、軸線を上下方向に向けたバッテリーポストＰに導通可能に接続されるものである。バッテリー端子Ａは、端子本体１０と、締結手段５０とを備えている。端子本体１０は、ロア部材１１とアッパ部材３０と接続用ボルト３２とを備えて構成されている。締結手段５０は、カム部材５１と、締結部材としての締結ボルト５８と、締結部材としてのナット６１とを備えて構成されている。
【００１４】
＜ロア部材１１＞
ロア部材１１は、所定形状に打ち抜かれた金属製（例えば、鉄）の板材に、曲げ加工等を施すことによって所定形状に成形されたものである。図１，１４，１５示すように、ロア部材１１の前後方向中央部には、平面視円形をなす環状部１２が形成されている。環状部１２には、平面視略円形をなす位置決め孔１３が形成されている。位置決め孔１３の内径は、バッテリーポストＰの最大外径とほぼ同じ寸法に設定されている。環状部１２の左右両外側縁の前端部（図９における左側の端部）には、上方へ立ち上がる左右対称な一対の側壁部１４が形成されている。
【００１５】
両側壁部１４には、その上端縁から幅方向（左右方向）内向きに延出した略水平をなす左右対称な一対の抑え部１５が形成されている。抑え部１５は、締付片３６を支持するための支持部として機能する。両側壁部１４には、その前端縁から前方へ且つ面一状に延出した板状をなす左右対称な一対の傾き規制部１６が形成されている。傾き規制部１６の内側面は、上下方向（バッテリーポストＰの軸線と平行）の平坦面であり、カム部材５１の傾きを規制するための鉛直受け面１７として機能する。
【００１６】
ロア部材１１の前端部には、板面を水平に向けた平面視略方形をなす支持板部１８が形成されている。支持板部１８は、締付片３６を支持するための支持部として機能する。支持板部１８の後端縁は、前壁部１９を介して環状部１２の前端縁に連なっている。支持板部１８には、その前端縁と左右両側縁から下方へ略直角に延出した形態の回り止め部２０が形成されている。同じく、支持板部１８には、その左右両側縁部における後端部から幅方向外方へ面一状に延出した板状をなす左右対称な一対の張出部２１が形成されている。また、支持板部１８には、平面視円形をなす貫通孔２２が形成されている。
【００１７】
ロア部材１１には、環状部１２の後端縁から上方へ延出した形態の後壁部２３と、後壁部２３の上端縁から後方へ水平に延出した形態の板状結合部２４が形成されている。板状結合部２４には、その左右両側縁の後端部から幅方向外方へ突出した形態の抜止め突起２５が、左右対称に一対形成されている。
【００１８】
＜アッパ部材３０＞
アッパ部材３０は、所定形状に打ち抜かれた金属製（例えば、銅）の板材に、曲げ加工等を施すことによって所定形状に成形されたものである。図１，２，８に示すように、アッパ部材３０の後端部には、導体接続部３１が形成されている。導体接続部３１は、箱形に成形されており、導体接続部３１の内部には、接続用ボルト３２の基部が収容されている。接続用ボルト３２の軸部は、導体接続部３１の上方に突出しており、この接続用ボルト３２の軸部に、外部導体３３が接続されるようになっている。
【００１９】
アッパ部材３０には、導体接続部３１の前端縁から前方へ面一状に延出した形態の水平な板状をなす連結部３４が形成されている。連結部３４には、その左右両側縁から下方へ延出した形態のカシメ片３５が、左右対称に一対形成されている。この連結部３４と一対のカシメ片３５は、ロア部材１１とアッパ部材３０を結合する手段として機能する。
【００２０】
アッパ部材３０には、連結部３４の前端縁に連なる左右対称な一対の締付片３６が形成されている。左右両締付片３６は、その基端部３７（後端部）において互いに連なっており、同時に、この基端部３７が連結部３４と連なっている。締付片３６は、その基端側領域を構成する略半円弧形のアーム部３８と、アーム部３８の前端から前方へ延出した受圧部３９とから構成されている。
【００２１】
左右一対のアーム部３８は、平面視において略円形に配されており、バッテリーポストＰを左右両側から挟むように包囲する。左右両アーム部３８で囲まれた空間は、バッテリーポストＰを収容する接続孔４０となっている。また、アーム部３８には、その内側縁（内周縁）から上方へ立ち上がった形態の周壁部４１が、バーリング加工によって形成されている。バッテリー端子ＡをバッテリーポストＰに接続した状態では、アーム部３８の内側縁（内周縁）と周壁部４１の内周面が、バッテリーポストＰの外周に強固に密着される。
【００２２】
受圧部３９は、左右両アーム部３８の前端部から前方へ面一状に延出する水平な基板部４２と、基板部４２の幅方向外縁部から上方へ略半円弧状に延出した折返部４３と、折返部４３から幅方向内方へ延出して基板部４２の上面に重ね合わされた補強板部４４とから構成されている。左右両受圧部３９の内側面（対向面）には、平面視略半円形をなす切欠部４６が形成されている。切欠部４６の曲率半径は、後述する締結ボルト５８の雄ネジ部６０の外周の曲率半径と同じかそれよりも少し大きい寸法である。また、折返部４３の外面は、正面視形状が略半円弧形をなす弧状面４５となっている。弧状面４５は、基板部４２の下面及び補強板部４４の上面に対し滑らかに（接線状に）連なっている。
【００２３】
＜ロア部材１１とアッパ部材３０の組付け形態＞
ロア部材１１とアッパ部材３０は、一対の締付片３６が左右方向（バッテリーポストＰの軸線と交差する方向）へ移動及び変形し得るように、且つ、一対の締付片３６がバッテリーポストＰに対して位置決めされるように一体的に組み付けられている。具体的には、図８，１１に示すように、ロア部材１１の板状結合部２４の上面に、アッパ部材３０の連結部３４を重ね合わせ、この状態で、図９〜１２に示すように、一対のカシメ片３５を板状結合部２４の下面に密着させるように変形させる。
【００２４】
これにより、ロア部材１１とアッパ部材３０は、上下方向及び左右方向への相対変位を規制された状態となる。また、変形したカシメ片３５は、後壁部２３の後面と抜止め突起２５の前面とに対し挟まれた状態に係止する。これにより、ロア部材１１とアッパ部材３０は、前後方向への相対変位を規制された状態となる。このように、板状結合部２４は、一対のカシメ片３５の先端部と連結部３４との間で上下に且つ強固に挟み付けられるように結合され、ロア部材１１とアッパ部材３０が一体化されている。板状結合部２４とカシメ片３５及び連結部３４との結合部位は、締付片３６とは別の領域（締付片３６から後方へ外れた領域）である。
【００２５】
ロア部材１１とアッパ部材３０を組み付けた状態では、図４，５，８に示すように、一対の締付片３６の受圧部３９が支持板部１８の上面に重ねられている。また、締付片３６のアーム部３８の前端部が、抑え部１５の下面に対し接触又は僅かに隙間を空けて対向する状態となる。つまり、一対の締付片３６は、ロア部材１１に対し、左右方向に変位し得るように支持板部１８によって下から支えられている。また、一対の締付片３６は、支持板部１８と抑え部１５の間で挟まれることにより、ロア部材１１に対して上下方向へ大きく相対変位することを規制することを規制されている。また、位置決め孔１３と締付片３６の間の接続孔４０は、平面視においてほぼ同軸状の位置関係となる。このようにロア部材１１とアッパ部材３０を一体化することにより、端子本体１０が構成されている。
【００２６】
＜締結手段５０＞
締結手段５０を構成するカム部材５１は、ロア部材１１及びアッパ部材３０よりも板厚寸法の大きい金属板材に曲げ加工等を施して所定形状に成形されたものである。カム部材５１は、左右対称な形状であり、平面視略方形をなす水平部５２と、水平部５２の左右両側縁から斜め下方へ延出した形態の一対の傾斜部５３と、両傾斜部５３の下端縁から下方へ延出した形態の一対の鉛直壁部５４とから構成されている。
【００２７】
水平部５２には、上下方向に貫通する平面視円形の挿通孔５５が形成されている。挿通孔５５の内径は、締結ボルト５８の雄ネジ部６０の外径と同じかそれよりも少し大きい寸法に設定されている。左右両傾斜部５３は、左右間隔が下方に向かうほど拡がるような向きに傾斜している。左右両傾斜部５３の内面は、上下方向及び左右方向に対して傾斜した押圧面５６となっている。鉛直壁部５４の外側面は、上下方向の鉛直当て面５７となっている。
【００２８】
締結手段５０を構成する締結ボルト５８は、平面視方形（つまり、非円形）をなす基部５９と、基部５９から上方へ延出した形態の雄ネジ部６０とを有する単一部品である。締結手段５０を構成するナット６１は、雄ネジ部６０にねじ込まれるようになっている。
【００２９】
＜実施例１の作用＞
端子本体１０には、バッテリーポストＰに接続するより前に、予め、カム部材５１と締結ボルト５８とナット６１が仮組みされる。仮組みに際しては、まず、締結ボルト５８の雄ネジ部６０を、支持板部１８の下から貫通孔２２に挿通し、図８，９に示すように、基部５９を支持板部１８の下面に当てて回り止め部２０に嵌合する。これにより、締結ボルト５８がロア部材１１及びアッパ部材３０に対して回転を規制された状態に保持される。
【００３０】
締結ボルト５８を支持板部１８に挿通する工程と前後して、カム部材５１を、一対の受圧部３９に対し上から被せるように組み付ける。カム部材５１を被せた状態では、図４に示すように、左右両受圧部３９が、その弧状面４５を鉛直壁部５４の内面上端部及び押圧面５６の下端部と対向させるように位置する。さらに、カム部材５１の鉛直壁部５４がロア部材１１の左右両傾き規制部１６の間に挟まれ、鉛直当て面５７と鉛直受け面１７とが、接触する状態又は僅かに隙間を空けて対向する状態となる。
【００３１】
また、カム部材５１の挿通孔５５には雄ネジ部６０が貫通され、カム部材５１の上方において雄ネジ部６０にナット６１がねじ込まれる。そして、ナット６１をカム部材５１の水平部５２の上面に当接するまでナット６１を手で締め込めば、端子本体１０に締結手段５０が仮組みされる。仮組み状態では、カム部材５１は、締結ボルト５８とナット６１により受圧部３９（締付片３６）に軽く押し付けられるので、端子本体１０に対してガタ付きを生じることはない。また、左右両受圧部３９が左右両押圧面５６の下端部に当接しているので、カム部材５１の姿勢は、左右に傾くことなく安定する。
【００３２】
締結手段５０を端子本体１０に仮組みした状態のバッテリー端子Ａは、バッテリーポストＰに接続される。接続する際には、バッテリーポストＰに対し、その上方から環状部１２と締付片３６を外嵌させる。すると、位置決め孔１３がバッテリーポストＰの外周に当接することにより、水平方向において、締付片３６を含む端子本体１０がバッテリーポストＰに対して位置決めされる。
【００３３】
この後、工具を用いてナット６１を締め付ける。ナット６１を締め付ける過程では、ナット６１がカム部材５１を下方へ変位させ、これに伴って、一対の押圧面５６が一対の受圧部３９（締付片３６）を幅方向内側（つまり、締付け方向）へ押圧する。この押圧作用により、一対の締付片３６が接近し、両アーム部３８の内周縁がバッテリーポストＰの外周に対し締め付けるように密着する。以上により、バッテリー端子ＡがバッテリーポストＰに導通可能に接続される。
【００３４】
一対の締付片３６が接近するように変形する際には、カム部材５１の左右両鉛直当て面５７が、ロア部材１１の左右両鉛直受け面１７に摺接するので、カム部材５１の姿勢が左右に傾く虞はない。これにより、一対の押圧面５６が一対の受圧部３９を左右均等に押圧するので、左右両締付片３６も均等に変形してバッテリーポストＰに密着する。また、締付片３６のうちカム部材５１の押圧面５６が接触する領域は、曲面からなる弧状面４５となっているので、カム部材５１と締付片３６との間の接触抵抗が比較的小さく抑えられている。さらに、受圧部３９は、基板部４２と補強板部４４を重ねた二枚板構造になっているので、剛性が高い。したがって、受圧部３９は、カム部材５１からの押圧力を受け手も不正な変形を生じる虞はない。
【００３５】
また、一対の締付片３６は、支持板部１８と抑え部１５によって上下方向への不正な変位や傾きを規制されているので、正しい姿勢を保ったままで確実に水平に変形する。したがって、左右両締付片３６は、互いに同じ高さでバッテリーポストＰに密着する。さらに、支持板部１８の左右両側縁部には、左右方向外方へ延出した張出部２１が形成されていて、この左右両張出部２１も締付片３６を下から支えている。しかも、図１０に示すように、この張出部２１は、前後方向においては、カム部材５１と締付片３６との当接位置（つまり、受圧部３９の後端部）とほぼ同じ位置に配されている。なお且つ、左右方向においては、張出部２１は、カム部材５１（押圧面５６）と締付片３６（弧状面４５）との当接位置に近い位置に配されている。したがって、カム部材５１から締付片３６に作用する押圧力を、張出部２１によって確実に受け止めることができる。
【００３６】
＜実施例１の効果＞
上述のように、本実施例１のバッテリー端子Ａは、軸線を上下方向に向けたバッテリーポストＰに対し位置決めされた状態で嵌合されるロア部材１１と、ロア部材１１の上方に配されたアッパ部材３０と、締結手段５０によってバッテリーポストＰに密着するように変形させられる一対の締付片３６とを備えている。そして、一対の締付片３６は、ロア部材１１とアッパ部材３０のうちアッパ部材３０のみに形成されている。したがって、ロア部材１１とアッパ部材３０の両方に形成された締付片３６を変形させる場合に比べると、本実施例のバッテリー端子Ａは、変形させるために要する操作力が小さくて済む。したがって、バッテリーポストＰに接続する際の作業性に優れている。
【００３７】
また、アッパ部材３０は、外部導体３３を接続するための導体接続部３１と、導体接続部３１と締付片３６の基端部３７を連結する連結部３４とを有している。そして、連結部３４には、ロア部材１１が移動規制状態に結合されている。この構成によれば、バッテリーポストＰに対して締付片３６を位置決めすることができるので、バッテリーポストＰに対する締付片３６の密着状態が周方向において不均一になり難い。また、締付片３６の変形動作に支障を来すことなく、ロア部材１１とアッパ部材３０とを結合することができる。
【００３８】
また、ロア部材１１には、一対の締付片３６を、バッテリーポストＰへの密着方向の変形を許容し、且つ上下方向への相対変位を規制した状態で支持する支持部（支持板部１８と抑え部１５）が形成されている。この構成によれば、一対の締付片３６を一定の高さで安定して変形させることができるので、バッテリーポストＰへの接続作業を確実に行うことができる。さらに、支持部を構成する支持板部１８には、締結手段５０を構成する締結ボルト５８の基部５９を回転規制状態に嵌合させる回り止め部２０が形成されている。この構成によれば、支持板部１８が回り止め部２０の形成母体を兼ねているので、支持板部１８とは別の専用部位に回り止め部２０を形成する場合に比べて、ロア部材１１の形状を簡素化することができる。
【００３９】
また、締付片３６のうちバッテリーポストＰの外周に接触する領域（アーム部３８の内周縁）には、上方へ延出した形態の周壁部４１が形成されているので、締付片３６（アーム部３８）がバッテリーポストＰの外周に食い込み難くなっている。したがって、バッテリーポストＰに対する締付片３６の締付け状態が周方向において安定する。
【００４０】
また、本実施例１のバッテリー端子Ａは、端子本体１０を有し、端子本体１０には、バッテリーポストＰの外周に密着するように変形可能な左右一対の締付片３６が形成されている。また、バッテリー端子Ａは、一対の締付片３６（受圧部３９）の外側縁を押圧可能であり、バッテリーポストＰの軸線に対して傾斜した左右一対の押圧面５６を有するカム部材５１を備えている。さらに、バッテリー端子Ａは、一対の押圧面５６をカム部材５１の一対の外側縁に当接させた状態でカム部材５１を下方向へ変位させる締結部材（締結ボルト５８とナット６１）も備えている。
【００４１】
そして、端子本体１０には、カム部材５１が摺接可能であって、カム部材５１の左右への傾きを規制可能な傾き規制部１６が形成されている。この構成によれば、傾き規制部１６によってカム部材５１の傾きが規制されるので、一対の押圧面５６は一対の締付片３６の外側縁に対し適正に押圧する。これにより、一対の締付片３６がバッテリーポストＰの外周に適正に密着される。したがって、バッテリーポストＰに接続する際の作業性に優れている。
【００４２】
また、傾き規制部１６は、カム部材５１を左右両側から挟むように一対設けられているので、カム部材５１の傾きを確実に規制することができる。さらに、傾き規制部１６には、カム部材５１の摺接が可能な上下方向の鉛直受け面１７が形成されているので、カム部材５１を鉛直受け面１７に摺接させることによって、カム部材５１の傾きを確実に防止することができる。さらにまた、カム部材５１には、傾き規制部１６に摺接可能な上下方向の鉛直当て面５７が形成されているので、鉛直当て面５７を傾き規制部１６に摺接させることによって、カム部材５１の傾きを確実に防止することができる。
【００４３】
また、カム部材５１には、一対の締付片３６の外側縁（弧状面４５）と摺接可能な一対の鉛直壁部５４が、一対の押圧面５６の下端部に連なるように形成されている。この構成によれば、締結部材（締結ボルト５８とナット６１）によってカム部材５１を変位させる過程では、一対の締付片３６が押圧面５６で押圧される前に、一対の締付片３６の外側縁に鉛直壁部５４が摺接する。これによって、押圧面５６が一対の締付片３６を適正な位置関係で押圧する。
【００４４】
また、本実施例１のバッテリー端子Ａは、端子本体１０を備え、端子本体１０には、バッテリーポストＰの外周に密着するように変形可能な左右一対の締付片３６が形成されている。そして、バッテリー端子Ａは、一対の締付片３６の外側縁を押圧可能であり、バッテリーポストＰの軸線に対して傾斜した左右一対の押圧面５６を有するカム部材５１を備えている。さらに、バッテリー端子Ａは、一対の押圧面５６をカム部材５１の一対の外側縁に当接させた状態で前記カム部材５１を上下方向へ変位させる締結手段５０とを備えている。そして、締付片３６には、押圧面５６と摺接可能な曲面からなる弧状面４５が形成されている。この構成によれば、押圧面５６が締付片３６を押圧する際に、押圧面５６と締付片３６は、面接触ではなく、線接触となるので、摩擦抵抗が地小さく抑えられる。したがって、バッテリーポストＰに接続する際の作業性に優れている。
【００４５】
また、締付片３６を構成する受圧部３９は、基板部４２と、基板部４２の外側縁に連なって弧状面４５を有する折返部４３と、折返部４３を延伸させて基板部４２の上面に重ねられた補強板部４４とを備えて構成されている。この構成によれば、締付片３６が二枚重ね状態となるので、締付片３６の強度が高められる。これにより、締付片３６が、押圧面５６で押圧されたときに不正に変形することを防止できる。
【００４６】
また、端子本体１０を構成するロア部材１１には、締付片３６を下から支える支持板部１８と、支持板部１８の左右両外側縁から下方へ延出した形態であって締結手段５０を構成する締結ボルト５８の基部５９を回転規制状態に嵌合させる左右一対の回り止め部２０とが形成されている。さらに、ロア部材１１には、支持板部１８の左右両外側縁のうち回り止め部２０よりも後方の領域（回り止め部２０が形成されていない領域）から左右方向外方へ突出した形態であって、締付片３６を下から支える張出部２１も形成されている。この構成によれば、左右に対向して対をなす回り止め部２０の左右間隔が狭くて、支持板部１８の左右寸法が小さい場合でも、張出部２１によって締付片３６を確実に下から支えることができる。
【００４７】
さらに、締付片３６は、概ね前方へ片持ち状に延出した形態であるが、張出部２１は、前後方向において、締付片３６におけるカム部材５１の押圧面５６との当接位置（受圧部３９の後端部）と概ね同じ位置（概ね対応する領域）に配されている。この構成によれば、張出部２１は、締付片３６のうちカム部材５１からの押圧力が直接作用する位置に近い位置に配されているので、カム部材５１からの押圧力を張出部２１が効果的に受け止めることができる。したがって、締付片３６の不正な変形を防止することができる。
【００４８】
＜実施例２〜４＞
次に、本発明を具体化した実施例２〜４を図１６〜図１８を参照して説明する。尚、実施例１と同じ構成については、同一符号を付し、構造、作用及び効果の説明は省略する。
【００４９】
実施例２のバッテリー端子Ｂを構成するカム部材７０は、鉛直壁部７１が実施例１よりも下方へ延長されており、鉛直壁部７１の内側面と外側面の両方共に、鉛直当て面７２として機能する。そして、傾き規制部７３は、実施例１と同じくカム部材７０を左右から挟んで外側面の鉛直当て面７２と対向する位置と、鉛直壁部７１の内側面の鉛直当て面７２と対向する位置の両方に配されている。つまり、１つの鉛直壁部を内外２つの傾き規制部７３で挟んでいるので、カム部材７０の傾きが確実に規制される。
【００５０】
実施例３のバッテリー端子Ｃを構成するカム部材７４は、実施例１の鉛直壁部５４に相当する部位を備えていない。したがって、カム部材７４には、鉛直当て面が形成されていない。カム部材７４は、その左右両端の下端縁を傾き規制部１６の鉛直受け面１７に摺接させることにより、姿勢の傾きを規制される。カム部材７４は、鉛直壁部を有しないので、軽量化と材料コストの低減を実現することができる。
【００５１】
実施例４のバッテリー端子Ｄを構成する傾き規制部７５は、カム部材５１の鉛直壁部５４の外面と対向する位置ではなく、鉛直壁部５４の内面と対向する位置に配されている。したがって、鉛直壁部５４の内面が、鉛直当て面７６として機能する。傾き規制部７５の外側面は、鉛直受け面７７として機能する。
【００５２】
＜他の実施例＞
本発明は上記記述及び図面によって説明した実施例に限定されるものではなく、例えば次のような実施例も本発明の技術的範囲に含まれる。
（１）上記実施例では、締結手段が、カム部材とボルトとナットとで構成されているが、カム部材を用いず、ボルトとナットによって一対の締付片を接近させるように変性させてもよい。
（２）上記実施例では、外部導体を接続するための導体接続部をアッパ部材に設けたが、導体接続部はロア部材に設けてもよい。
（３）上記実施例では、ロア部材に形成した支持部（支持板部と抑え部）が、一対の締付片を上方と下方の両方向へ相対変位しないように規制したが、支持部によって変位を規制する方向は、上方と下方のうちいずれか一方向のみであってもよい。
（４）上記実施例では、ロア部材に、一対の締付片を支持するための支持部を形成したが、このような支持部を形成しない形態としてもよい。
（５）上記実施例では、締付片に周壁部を形成したが、締付片は周壁部を形成しない形態であってもよい。
（６）上記実施例では、周壁部が締付片の上方へ突出する形態であるが、周壁部は、締付片の下方へ突出する形態であってもよい。
（７）上記実施例では。回り止め部に締結ボルトの基部を嵌合したが、回り止め部にナットを嵌合してもよい。
【符号の説明】
【００５３】
Ａ，Ｂ，Ｃ，Ｄ…バッテリー端子
Ｐ…バッテリーポスト
１１…ロア部材
１５…抑え部（支持部）
１８…支持板部（支持部）
２０…回り止め部
３０…アッパ部材
３１…導体接続部
３３…外部導体
３４…連結部
３６…締付片
４１…周壁部
５０…締結手段
【図１】
0006528971.tif 000002
【図２】
0006528971.tif 000003
【図３】
0006528971.tif 000004
【図４】
0006528971.tif 000005
【図５】
0006528971.tif 000006
【図６】
0006528971.tif 000007
【図７】
0006528971.tif 000008
【図８】
0006528971.tif 000009
【図９】
0006528971.tif 000010
【図１０】
0006528971.tif 000011
【図１１】
0006528971.tif 000012
【図１２】
0006528971.tif 000013
【図１３】
0006528971.tif 000014
【図１４】
0006528971.tif 000015
【図１５】
0006528971.tif 000016
【図１６】
0006528971.tif 000017
【図１７】
0006528971.tif 000018
【図１８】
0006528971.tif 000019